(57)【要約】      （修正有）【課題】真空チャンバーおよび後面支持体吸着方式によるプリンティング用スタンプの製造装置および製造方法を提供する。【解決手段】真空発生装置に連結され開閉される空間からなる真空チャンバー１０と、前記真空チャンバー１０の下部に位置し上面にモールドパターンを有するマスターモールド２０と、前記真空チャンバーの上部に上下移動可能に位置し、後面支持体を脱／付着する後面支持体付着用チャック３０と、（ａ）前記真空チャンバー１０内を前記真空発生装置によって真空状態にし、（ｂ）前記後面支持体付着用チャック３０に後面支持体を付着した状態で前記付着用チャック３０を下に移動するようにして前記マスターモールドの上面に形成されたスタンプに前記後面支持体を付着し、（ｃ）前記真空状態または前記真空を解除した状態で、前記後面支持体付着用チャック３０から後面支持体を脱着した状態で前記付着用チャックを上に移動する制御部とを含む。【選択図】図１
2011000885.tif 000002
【特許請求の範囲】
【請求項１】
真空発生装置に連結されて開閉される空間からなる真空チャンバーと、
前記真空チャンバーの下部に位置し、上面にモールドパターンを有するマスターモールドと、
前記真空チャンバーの上部に上下移動可能に位置し、後面支持体を脱／付着する後面支持体付着用チャックと、
(ａ）前記真空チャンバー内を前記真空発生装置によって真空状態にし、(ｂ）前記後面支持体付着用チャックに後面支持体を付着した状態で前記付着用チャックを下に移動するようにして前記マスターモールドの上面に形成されたスタンプに前記後面支持体を付着し、(ｃ）前記真空状態または前記真空を除去した状態で、前記後面支持体付着用チャックから後面支持体を脱着した状態で前記付着用チャックを上に移動するようにする制御部とを含むことを特徴とするインプリントまたはロール−プリントリソグラフィ用スタンプ製造装置。
【請求項２】
前記マスターモールドを加熱する加熱装置、または前記マスターモールド上部に位置し、前記マスターモールドに光を照射する光照射装置からなる硬化装置をさらに含み、前記制御部が、さらに(ｄ）前記真空状態または前記真空を除去した状態で、前記硬化装置を作動してスタンプおよび後面支持体の結合体を硬化する制御過程を含む請求項１に記載のインプリントまたはロール−プリントリソグラフィ用スタンプ製造装置。
【請求項３】
前記真空チャンバーが、上部と下部が上下にそれぞれ分離されて開閉され、前記後面支持体付着用チャックが、静電チャックまたは接着チャックである請求項１または請求項２に記載のインプリントまたはロール−プリントリソグラフィ用スタンプ製造装置。
【請求項４】
前記真空チャンバーの上部または下部は直線運動ガイドに結合されて、上部と下部が分離された場合に相手に対して直線的に移動する請求項３に記載のインプリントまたはロール−プリントリソグラフィ用スタンプ製造装置。
【請求項５】
（ａ）真空チャンバーの下部に位置し上面にモールドパターンを有するマスターモールドの上面にスタンプ材料を塗布し、前記真空チャンバーの上部に位置する後面支持体を脱／付着する後面支持体付着用チャックに後面支持体を付着する工程と、
（ｂ）真空チャンバー内を真空発生装置によって真空状態にする工程と、
（ｃ）前記後面支持体付着用チャックに後面支持体を付着した状態で前記付着用チャックを下に移動するようにして、前記マスターモールドの上面に形成されたスタンプに前記後面支持体を付着する工程と、
（ｄ）前記真空状態または前記真空を解除した状態で、前記後面支持体付着用チャックから後面支持体を脱着した状態で前記付着用チャックを上に移動する工程とを含むことを特徴とするインプリントまたはロール−プリントリソグラフィ用スタンプの製造方法。
【請求項６】
さらに（ｅ）前記真空状態または前記真空を解除した状態で、前記後面支持体が付着されたスタンプ結合体を硬化する工程を含む請求項５に記載のインプリントまたはロール−プリントリソグラフィ用スタンプの製造方法。
【請求項７】
前記硬化が、光硬化または熱硬化である請求項６に記載のインプリントまたはロール−プリントリソグラフィ用スタンプの製造方法。
【請求項８】
前記後面支持体付着用チャックが、静電チャックまたは接着チャックである請求項５に記載のインプリントまたはロール−プリントリソグラフィ用スタンプ製造方法。
【発明の詳細な説明】
【技術分野】
【０００１】
本発明はインプリントまたはロール−プリントリソグラフィ用スタンプの製造装置および製造方法に関する。より詳しく言えば、プリンティングリソグラフィ方法によるパターン形成時に使用されるスタンプを製造するための装置および方法に関し、プリンティング工程に使用されるスタンプの製造方法および製造装置の改善によって優れた性能のスタンプ製造が可能となり、プリンティング工程による微細パターン形成時にさらに優れた微細パターンを形成することができると共に、工程の簡素化による製造単価の低減および生産性の向上を実現することができるプリンティング用スタンプの製造方法および製造装置に関するものである。
【背景技術】
【０００２】
一般に、情報保存、小型センサー、光結晶および光学素子、微細電子機械素子、表示素子、ディスプレイ、および半導体に適用される微細パターン形成工程は、光を利用して微細パターンを形成するフォトリソグラフィ（photolithography）工程を利用する。しかし、ＬＣＤ（液晶ディスプレイ）基板の大型化、パターンサイズの微細化、各分野の価格競争力が激しくなるにつれ、革新的な新たな概念のリソグラフィ工程の必要性が増してきた。つまり、既存のフォトリソグラフィ工程は、パターンを形成する度に露光、露光後ベーク、現像、現像後ベーク、エッチング工程、洗浄工程などを行わなければならないため工程時間が長くなり、数回のフォト工程を繰り返さなければならないため、生産性が低下するという問題点があった。また、パターンの超微細化が進むと露光装備のような高価な装備を切り替えなければならないので投資費用が増し、高解像度のマスクの価格も急騰し効率性が落ち、この問題点は結局原価上昇を引き起こす他の要因となっていた。
【０００３】
したがって、このような問題を解決する方法として、インプリントおよびロール−プリントリソグラフィ法が提案された。まず、インプリントリソグラフィは、ナノスケールを刻印するために米国プリンストン大学のステファン・チョウ（Stephen chou）等によって最初に発明された方法であって、相対的に強度が強い無機物または高分子の表面に必要とする形状を予め作成して、これを他の物質の上に判を押すようにして微細パターンを形成する。具体的には、所望の微細パターンを予め形成した無機物または高分子スタンプを用いて金属膜または有機膜の上にコーティングされた硬化性組成物に合着し、熱硬化または光硬化させてパターンを形成する工法であって、既存のフォトリソグラフィ法に比べて工程単純化および微細パターン形成に有利な点を有している。このようなインプリントリソグラフィにおいて従来のマスクの役割を果たすものがスタンプである。インプリント工程でスタンプの役割はインプリント工程技術の核心と言える部分であって、所望の形態のパターン形成のためには基本的に所望の形態のスタンプが製造されてこそインプリント工程の遂行によるパターン形成が可能になる。
【０００４】
また、ロール−プリントは既存の印刷技術を一層進歩させた技術であって、パターンが刻印されたロールによるプリンティング法と、パターンのないロールにパターンが刻印された基板を利用して微細パターンを形成する方法がある。このようなロール-プリンティング方法にもそれぞれの材料を次の工程に伝写するためのスタンプが使用される。ロール-プリンティング法でもインプリント工程のように優れたスタンプの製造が前提となって優れた性能のパターン形成が可能になる。
【０００５】
このような、インプリントおよびロール−プリントリソグラフィ工程は、フォトリソグラフィに比べて工程が単純になり、高価な工程である露光工程が不要となるので、装備が簡単になる。また、工程数の減少によりクリーンルーム空間が画期的、革新的に減少し、既存の工程に比べて低価な装備で微細パターンの実現が可能になるので、優れた価格競争力を有することができ、将来のパターニング技術の代案的な方法において重要な核心技術として提示されている。
【０００６】
このようなインプリントおよびロール−プリントリソグラフィ法は今後ＦＥＤ(Field Emission Display）、ＯＬＥＤ（ElectroLuminescent）、ＰＤＰ（Plasma Display Panel）、太陽電池（Solar cell）装置にも適用可能であり、これによって各応用分野でも製造工程が単純になり、反復印刷後にもパターンの精密度が確保されると予想される。
【０００７】
ここで、前記インプリントおよびロール−プリントリソグラフィ法では、既存のフォトリソグラフィでパターンを形成する時に使用される高解像度のマスクの代わりに、スタンプを作成した後にプリンティング工程によって微細パターンを形成することができる。このようなプリンティング法に使用されるスタンプは多様な方法で製造することができる。しかし、既存のスタンプ製造方法は工程が複雑であって生産性が劣り、スタンプの平坦度、トータルピッチなどスタンプの物性実現が円滑でなく、プリンティング工程時におけるパターン形成に多くの制約があった。
【０００８】
そのため、このような従来の問題点を解決する新たな形態のインプリントおよびロール−プリント用スタンプの製造方法および製造装置の開発が切望されているのが実情である。
【発明の概要】
【発明が解決しようとする課題】
【０００９】
このような従来技術の問題点を解決するために、本発明はインプリントまたはロール−プリントリソグラフィ用パターン形成に使用されるスタンプを製造する方法および装置を提供するものであって、本発明によって半導体、ＬＣＤ、ＰＤＰ、ＯＬＥＤ、太陽電池産業でのプリンティングリソグラフィによるパターン形成工程で使用されるスタンプを提供することにより、スタンプ性能向上、工程改善、製造単価改善を達成することをその目的とする。また、本発明によるスタンプを利用したプリンティング工程を実施することによってさらに優れたパターン形成を実現することができる。
【課題を解決するための手段】
【００１０】
前記目的を達成するために、本発明は、
真空発生装置に連結されて開閉される空間からなる真空チャンバーと、
前記真空チャンバーの下部に位置し、上面にモールドパターンを有するマスターモールドと、
前記真空チャンバーの上部に上下移動可能に位置し、後面支持体を脱／付着する後面支持体付着用チャックと、
（ａ）前記真空チャンバー内を前記真空発生装置によって真空状態にし、（ｂ）前記後面支持体付着用チャックに後面支持体を付着した状態で前記付着用チャックを下に移動するようにして前記マスターモールドの上面に形成されたスタンプに前記後面支持体を付着し、（ｃ）前記真空状態または前記真空を除去した状態で、前記後面支持体付着用チャックから後面支持体を脱着した状態で前記付着用チャックを上に移動するようにする制御部とを含むことを特徴とするインプリントまたはロール−プリントリソグラフィ用スタンプの製造装置を提供する。
【００１１】
また、本発明は、
（ａ）真空チャンバーの下部に位置し上面にモールドパターンを有するマスターモールドの上面にスタンプ材料を塗布し、前記真空チャンバーの上部に位置する後面支持体を脱／付着する後面支持体付着用チャックに後面支持体を付着する工程と、
（ｂ）真空チャンバー内を真空発生装置によって真空状態にする工程と、
（ｃ）前記後面支持体付着用チャックに後面支持体を付着した状態で前記付着用チャックを下に移動するようにして、前記マスターモールドの上面に形成されたスタンプに前記後面支持体を付着する工程と、
（ｄ）前記真空状態または前記真空を解除した状態で、前記後面支持体付着用チャックから後面支持体を脱着した状態で前記付着用チャックを上に移動するようにする工程とを含むことを特徴とするインプリントまたはロール−プリントリソグラフィ用スタンプの製造方法を提供する。
【発明の効果】
【００１２】
本発明のインプリントまたはロール−プリントリソグラフィ用スタンプの製造装置および製造方法によれば、既存のプリンティング用スタンプに比べて平坦度、パターン形状の優秀性、トータルピッチなどの優れた物性を有するスタンプを製造することができると共に、プリンティング工程時にパターン不良の発生を最少化し、収率改善、工程の効率性を向上させることができるインプリントおよびロール−プリントスタンプの製造方法および製造装置を提供することができ、これによって多様なプリンティング工程に対する安定したスタンプ供給によって優れたプリンティング工程を行うことができる効果が得られる。
【図面の簡単な説明】
【００１３】
【図１】本発明のインプリントまたはロール−プリントリソグラフィ用スタンプ製造装置に関する実施例をそれぞれ模式的に示した図面である。
【図２】本発明のインプリントまたはロール−プリントリソグラフィ用スタンプ製造装置に関する一実施例の作動例を模式的に示した図面である。
【図３】本発明のインプリントまたはロール−プリントリソグラフィ用スタンプ製造装置に関する他の実施例の作動例を模式的に示した図面である。
【図４】本発明のインプリントまたはロール−プリントリソグラフィ用スタンプ製造装置に関する他の実施例の作動例を模式的に示した図面である。
【発明を実施するための形態】
【００１４】
以下、本発明について図面を参照して詳細に説明する。
本発明はインプリントまたはロール−プリントリソグラフィ用スタンプ製造装置に関し、真空発生装置２に連結されて開閉される空間からなる真空チャンバー１０と、前記真空チャンバー１０の下部に位置し、上面にモールドパターンを有するマスターモールド２０と、前記真空チャンバー１０の上部に上下移動可能に位置し、後面支持体（Ｂ）を脱／付着する後面支持体付着用チャック（chuck）３０と、（ａ）前記真空チャンバー１０内を前記真空発生装置２によって真空状態にし、（ｂ）前記後面支持体付着用チャック３０に後面支持体（Ｂ）を付着した状態で前記付着用チャック３０を下に移動するようにして、前記マスターモールド２０の上面に形成されたスタンプ（Ｓ）に前記後面支持体（Ｂ）を付着し、（ｃ）前記真空状態または前記真空を解除した状態で、前記後面支持体付着用チャック３０から後面支持体（Ｂ）を脱着した状態で前記付着用チャック３０を上に移動するようにする制御部を含んで構成される。
【００１５】
すなわち、これに関する具体的例は図１に示すように、ロータリーポンプ、拡散ポンプ、またはこれらの組み合わせなどからなる通常の真空発生装置と連結され、図１の（ａ）（開放口を閉じるドアは図示せず）に示すように、後面支持体およびスタンプ形成のための材料の出入が可能な開閉口を有するか、または図１（ｂ）に示すように、チャンバー自体が上下に分離／結合されて開閉される空間を有し、前記空間が閉鎖された場合に前記真空発生装置の運転によって密閉空間を真空状態にする真空チャンバーを有する。
【００１６】
また、前記真空チャンバーの下部には、図１にその具体的例を示すように、上面にモールドパターンを有するマスターモールド２０が結合し、前記真空チャンバーの上部には、スタンプの後面に結合する後面支持体を脱／付着する後面支持体付着用チャック３０が結合する。ここで、前記後面支持体付着用チャックは真空チャンバーに対して上下移動可能に結合して、後述する制御部の制御によって上下移動する。
【００１７】
前記マスターモールド２０は上面にモールドパターンを有する一体型モールドであってもよく、図示するように、マスタージグ（jig）の上に所定のパターンが形成されているか、または所望の形態の形状が形成されたマスター（master）を設置した組立体形態で構成することもできる。
【００１８】
前記後面支持体付着用チャック３０は、スタンプに結合して支持体の役割を果たす後面支持体を脱着および付着するチャックであって、脱付着方法によって多様なチャックがこれに該当し、好ましくは静電気を利用して脱付着する静電チャックまたは真空吸着方式を利用して脱付着する接着チャックが後面支持体に対する付加的応力発生が少ないためこれに適用され、さらに好ましくは後面支持体に対する付加的応力発生が最少化される静電チャック（electrostatic chuck）を用いることが良い。
【００１９】
このような真空チャンバー、マスターモールド、付着用チャックは制御部によって（ａ）前記真空チャンバー内を前記真空発生装置によって真空状態にし、（ｂ）前記後面支持体付着用チャックに後面支持体を付着した状態で前記付着用チャックを下に移動するようにして、前記マスターモールドの上面に形成されたスタンプに前記後面支持体を付着し、（ｃ）前記真空状態または前記真空を除去した状態で、前記後面支持体付着用チャックから後面支持体を脱着した状態で前記付着用チャックを上に移動するようにする動作を行う。これに関する具体的な例は図２及び図３に示す。
【００２０】
すなわち、真空チャンバー、マスターモールド、付着用チャックが備えられた製造装置において、マスターモールドと付着用チャックのそれぞれにスタンプ（Ｓ）および後面支持体（Ｂ）を形成し、真空チャンバーを閉じて密閉空間を形成した後、真空発生装置を稼動して前記真空チャンバー内を真空状態にし、前記後面支持体付着用チャックに後面支持体を付着した状態で前記付着用チャックを下に移動するようにして前記マスターモールドの上面に形成されたスタンプに前記後面支持体を付着する。次に、（ｉ）前記真空状態をそのまま維持した状態で、前記後面支持体付着用チャックから後面支持体を脱着し、前記付着用チャックのみを上に移動するようにするか、または（ii）前記真空を解除してチャンバーを常圧状態にした後に、前記後面支持体付着用チャックから後面支持体を脱着し、前記付着用チャックのみを上に移動するようにする。
【００２１】
これによって真空状態で後面支持体に加えられる応力を最少化して後面支持体とスタンプを結合することができるので、これらの間の結合が、均等に、そして付加的な応力発生を少なくしながら残留応力を発生せずに行われるようにして、平坦度、パターン形状の保存性、トータルピッチなどの物性を優れたものに維持することができる。
【００２２】
また、これに加え、図２〜図３にその具体例を示すように（図２及び３では符号を省酪しているが、図に描かれている図１と同一の要素については図１の記載と同一の符号が適用される。）、本発明のスタンプ製造装置は前記マスターモールド２０を加熱する加熱装置４０ａ、または前記マスターモールド２０の上部に位置して、前記マスターモールド２０に紫外線を含む多様な波長帯の光を照射する光照射装置４０ｂからなる硬化装置４０ａまたは４０ｂをさらに含んで（図示するように２つをすべて構成することもできる）、前記スタンプおよび後面支持体の付着後にこれらの間に結合がなされるようにする。このために前記制御部は、前記（ｃ）工程後に、（ｄ）前記真空状態または前記真空を解除した状態で、前記硬化装置４０ａまたは４０ｂを作動して、スタンプ（Ｓ）と後面支持体（Ｂ）の間の結合体を硬化する制御工程をさらに含むことができる。前記硬化工程は前記真空チャンバーの真空を維持した状態で行うこともでき、真空状態を解除した後に行うこともできる。これに関する具体的な例は図２〜図３にそれぞれ示すとおりである。
【００２３】
また、前述のように、前記真空チャンバーは好ましくは図１の（ｂ）および図３にその具体例を示すように、真空チャンバー１０の上部４と下部６を上下にそれぞれ分離して開閉することが好ましい。これによって、図３に示すように、後面支持体の付着用チャックに対するローディング、スタンプの形成、硬化工程の光照射側面で各工程を容易に遂行することができる利点がある。また、前述のように、前記後面支持体付着用チャックは静電チャックでこれを構成することが、チャッキング（chucking）とデチャッキング（dechucking）時に応力発生を最少化し、真空チャンバーの駆動とチャックの駆動の間に駆動方式が相違するために互いの間の干渉を減らすことができるので好ましい。
【００２４】
また、前記のように真空チャンバー１０を上部４と下部６が上下にそれぞれ分離されて開閉される構造を有する場合、図４にその具体例を示すように（図４では符号を省酪しているが、図に描かれている図１と同一の要素については図１の記載と同一の符号が適用される。）、前記真空チャンバー１０の上部４または下部６は直線運動ガイド８に結合されて上部４と下部６が分離された場合に相手に対して直線的に移動可能に構成することができる。これによって、装置全体の自動化が可能となる。また、前記真空チャンバー１０の上部４および下部６をすべて直線運動ガイド８にそれぞれ結合して、これらを移動することもできる。
【００２５】
その他、本発明はインプリント（imprint：特に後面支持体がガラスなどの柔軟性が劣る物質である場合）またはロール−プリント（roll-print：特に後面支持体が樹脂フィルムなどの柔軟性の高い物質である場合）リソグラフィ用スタンプ製造方法を提供する。これは（ａ）真空チャンバー１０の下部に位置し上面にモールドパターンを有するマスターモールド２０の上面にスタンプ材料を塗布し、前記真空チャンバー１０の上部に位置する後面支持体（Ｂ）を脱／付着する後面支持体付着用チャック３０に後面支持体（Ｂ）を付着する工程と、（ｂ）真空チャンバー１０内を真空発生装置２０によって真空状態にする工程と、（ｃ）前記後面支持体付着用チャック３０に後面支持体（Ｂ）を付着した状態で前記付着用チャック３０を下に移動するようにして前記マスターモールド２０の上面に形成されたスタンプ（Ｓ）に前記後面支持体（Ｂ）を付着する工程と、（ｄ）前記真空状態または前記真空を除去した状態で、前記後面支持体付着用チャック３０から後面支持体（Ｂ）を脱着した状態で前記付着用チャック３０を上に移動するようにする工程を含む。
【００２６】
すなわち、本発明によるスタンプ製造方法は、静電チャックまたは接着チャックなどの付着用チャックによって後面支持体をローディングし、所望の形状が形成されたマスクをジグを用いて真空チャンバーに設置してマスターモールドを準備し、前記マスターモールドのマスクにスタンプ材料を塗布した後に真空チャンバー内で真空合着工程を実施し、これに追加してさらに、熱硬化または光硬化またはこれらの組み合わせによる硬化工程を実施し、前記製造されたスタンプ（後面支持体が結合された）をマスクおよびジグからなるマスターモールドから分離する工程を設けることができる。
【００２７】
好ましくは、前述のように、前記（ｄ）工程後に、（ｅ）前記真空状態または前記真空を解除した状態で、前記後面支持体が付着したスタンプ結合体を硬化する工程をさらに含むことができ、前記硬化は光硬化または熱硬化またはこれらを組み合わせて行うことができ、前記後面支持体付着用チャックとしては前述のように静電チャックまたは接着チャック用いることができる。
【００２８】
より詳細には、図３に示すように、スタンプがインプリントおよびロール−プリントリソグラフィ用スタンプとして機能するためにスタンプの収縮および歪みを防止すると共に、スタンプを支持してスタンプとしての機能を可能にするための後面支持体（Ｂ）を静電チャックまたは接着チャック３０などを用いて上部真空チャンバー４に配置する。この時静電チャック、接着チャック３０に、後面支持体（Ｂ）を支持するために静電気または真空をかけると、さらに好ましく後面支持体（Ｂ）が支持され、スタンプ形成工程を良好に行うことができる。
【００２９】
次に、マスタージグ（jig）の上に所定のパターンが形成されているか、または所望の形状が形成されたマスター（master）を設置してマスターモールドを準備する。この時、マスタージグに真空をかけることによってマスターが安定してマスタージグに設置され、設けられたマスターはスタンプ形成およびスタンプ物性にも良い影響を与える。そして、スタンプ材料をマスターの上に形成した後に下部真空チャンバー６の上に設置する。または、下部真空チャンバー６にマスタージグおよびマスターからなるマスターモールドを設置した後に、スタンプ材料を形成することもできる。
【００３０】
上記の工程を行った後に上部真空チャンバー４および下部真空チャンバー６を閉じた状態で真空ポンプを用いて真空状態にする。この時の真空度は常圧で１×１０-4Ｔｏｒｒまで可能であり、さらに好ましくは１×１０Ｔｏｒｒ〜１×１０-2Ｔｏｒｒである。所望の真空度に到達したら、チャック３０を下降して下部真空チャンバー６上に形成されたスタンプ材料（Ｓ）との合着工程を実施する。チャック３０により合着した後、図３に示すように真空を維持した状態でチャックの上昇工程を行うこともでき、または真空ポンプを停止して真空チャンバー内の真空度を常圧に戻した後に、チャック３０を上昇させることもできる。この時、チャック３０は後面支持体（Ｂ）を付着している静電気や接着力などを完全に除去した後にチャック３０のみを上昇させなければならず、空気や窒素をブローイングすることによってさらに良好に分離することもできる。
【００３１】
最後に、上部真空チャンバー４を除去または移動した後に、露光器およびＵＶランプからなる光照射装置４０ｂ、ヒーターからなる加熱装置４０ａなどを用いて硬化工程を実施する。硬化工程を実施した後に、マスタージグおよびマスターからなるマスターモールドから分離することによってインプリントおよびロール−プリントリソグラフィ用スタンプを製造することができる。
【００３２】
前記の工程を実施した後に製造されたインプリントおよびロール−プリントリソグラフィ用スタンプは、スタンプ材料の平坦度、トータルピッチ（total pitch）、優れたパターン形状の形成などによってプリンティングリソグラフィ工程遂行時にパターンの歪曲なしにパターンを形成すると共に、パターン欠陥を減少させることができるので、プリンティング工程遂行能力を向上させることができる。
【００３３】
本発明で製造されたスタンプはプリンティングリソグラフィ工程によるパターン形成を実施することによってスタンプの評価を実施することができ、走査電子顕微鏡（ＳＥＭ：Scanning Electron Microscope）、光学顕微鏡（Optical Microscope）、原子顕微鏡（ＡＦＭ：Atomic Force Microscope）などによってこれを確認できる。
【実施例】
【００３４】
以下、本発明の理解のために好ましい実施例を提示するが、下記の実施例は本発明を例示するものに過ぎず、本発明の範囲が下記の実施例に限定されるのではない。
【００３５】
実施例１：
まず、ＬＣＤ用ガラス（Ｂ）を準備した。そのガラスを静電チャック３０を用いて上部真空チャンバー４に装着した。さらに５〜２０ｍの多様なパターンが刻まれているマスターを準備した。そのマスターを下部真空チャンバー６に設けられたマスタージグに設置してマスターモールド２０を準備した。その後ダウコーニング社製のシリコン弾性重合体であるシルガード１８４Ａ（商品名；sylgard  １８４Ａ）および硬化剤であるシルガード１８４Ｂ（商品名；sylgard  １８４Ｂ）をそれぞれ１０：１の比率で十分に混合し、５０ｍ厚のマスターの上に塗布した。その後真空チャンバー１０を閉じ、真空ポンプを用いてチャンバー内を真空状態にした。真空チャンバー内の真空度が１．０Ｔｏｒｒになったら、静電チャック３０を下降して合着工程を実施した。静電チャック３０を用いて合着を実施した後に真空ポンプを停止して真空チャンバー内の真空度を常圧状態にした。常圧状態になったら、静電チャック３０の作動（チャッキング）を解除して静電チャック３０のみを上昇した後に上部真空チャンバー４を上昇させてチャンバーを開放させた。その後ヒーター４０ａを８０℃で１時間加熱して熱硬化を実施した。または、上部真空チャンバー４を閉じたままヒーター４０ａを８０℃で１時間加熱して熱硬化を実施することもできる。最後に、形成されたスタンプをマスターモールド２０から分離しインプリント用スタンプを製造した。
【００３６】
実施例２：
スタンプ材料として光硬化型材料を使用し、ＵＶ光硬化を実施することによってインプリント用スタンプを製造することを除いては、実施例１と同一の工程を実施してインプリント用スタンプを製造した。
【００３７】
実施例３：
後面支持体（Ｂ）としてＰＥＴフィルムを使用して工程を実施することによってロール−プリント用スタンプを製造することを除いては、実施例１と同一の工程を実施してロール−プリント用スタンプを製造した。
【００３８】
実施例４：
後面支持体を（Ｂ）としてＰＥＴフィルムを使用し、スタンプ材料として光硬化型材料を使用することによってロール−プリント用スタンプを製造することを除いては、実施例１と同一の工程を実施してロール−プリント用スタンプを製造した。
【００３９】
前記のように製造されたスタンプはパターニング工程を実施することによって評価を実施することができる。プリンティング用材料を用いてプリンティング工程を実施した後に、走査電子顕微鏡（ＳＥＭ：Scanning Electron Microscope）、光学顕微鏡（Optical Microscope）などによって、形成されたスタンプおよびパターン形状などを確認し、既存のものに比べて優れたパターン形状および物性を有することを確認することができる。
【００４０】
以上で説明した本発明は前述の実施例および添付図面によって限定されるものではなく、特許請求の範囲に記載された本発明の思想および領域から逸脱しない範囲内で該当技術分野の当業者が多様に修正および変更させたものも本発明の範囲内に含まれることはもちろんである。
【符号の説明】
【００４１】
２        真空発生装置
４        真空チャンバーの上部
６        真空チャンバーの下部
８        直線運動ガイド
１０      真空チャンバー
２０      マスターモールド
３０      後面支持体付着用チャック
４０ａ    加熱装置（硬化装置）
４０ｂ    光照射装置（硬化装置）
Ｂ        後面支持体
Ｓ        スタンプ
【図１】
2011000885.tif 000003
【図２】
2011000885.tif 000004
【図３】
2011000885.tif 000005
【図４】
2011000885.tif 000006